(57)【要約】【課題】多層記録媒体においてリードイン領域に記録される管理情報の読み込み不能による製造歩留りの低下を抑制する。【解決手段】複数の記録層１１３とガイド層１１２を有するガイド層付き光ディスク１１１をそれぞれ両面に記録が可能な両面ディスクを構成するように互いに貼り合わせて一体化された多層記録媒体において、両側のガイド層付き光ディスク１１１のガイド層のリードイン領域に、片面ディスクと両面ディスクを識別するとともに、両面ディスクの場合にはサイド面を識別するための面管理情報をウォブルなどによって予め記録しておく。記録層に面管理情報をプリピットなどにより記録しておく場合に比較して、面情報の読み込み不能による不良品の発生確率を低下させることができ、製造歩留りの向上を図ることができる。【選択図】図４
2013211081.tif 000002
【特許請求の範囲】
【請求項１】
情報を記録可能な複数の記録層と、トラッキングのためのガイドトラックが設けられ、当該ガイドトラックに沿って管理情報が予め記録されたリードイン領域を有するガイド層とを有する２つのガイド層付き光記録媒体が、それぞれ両面に記録が可能な両面ディスクを構成するように互いに貼り合わせて一体化され、前記管理情報が前記両面ディスクのサイド面を識別するためのサイド面識別情報を含む
多層光記録媒体。
【請求項２】
情報を記録可能な複数の記録層と、トラッキングのためのガイドトラックが設けられ、当該ガイドトラックに沿って管理情報が予め記録されたリードイン領域を有するガイド層とを有する２つのガイド層付き光記録媒体が、それぞれ両面に記録が可能な両面ディスクを構成するように互いに貼り合わせて一体化され、前記管理情報が前記両面ディスクのサイド面を識別するためのサイド面識別情報を含む多層光記録媒体に記録可能な光記録装置であって、
前記多層光記録媒体の一方の前記ガイド層付き光記録媒体に対応して設けられ、当該一方のガイド層付き光記録媒体の前記ガイド層に第１のガイド光を集光し、その反射光を受光する第１のガイド光学系を有する第１の光ピックアップと、
前記多層光記録媒体の他方の前記ガイド層付き光記録媒体に対応して設けられ、当該他方のガイド層付き光記録媒体の前記ガイド層に第２のガイド光を集光し、その反射光を受光する第２のガイド光学系を有する第２の光ピックアップと、
前記第１のガイド光学系にて受光された前記第１のガイド光をもとに前記一方のガイド層付き多層記録媒の前記ガイド層に記録された前記管理情報を第１の管理情報として再生するとともに、前記第２のガイド光学系にて受光された前記第２のガイド光をもとに前記他方のガイド層付き多層記録媒の前記ガイド層に記録された前記管理情報を第２の管理情報として再生する管理情報再生部と、
再生された前記第１の管理情報および前記第２の管理情報にそれぞれ含まれる前記サイド面識別情報をもとに前記第１の光ピックアップおよび前記第２の光ピックアップと前記両面ディスクのサイド面との相関を設定する制御部と
を具備する光記録装置。
【請求項３】
請求項２に記載の光記録装置であって、
前記多層光記録媒体を第１の多層光記録媒体、前記ガイド層付き光記録媒体が片面に記録が可能な片面ディスクとして単体で使用され、前記管理情報に前記片面ディスクであることを識別するための片面ディスク識別情報が含まれる多層光記録媒体を第２の多層光記録媒体として択一的にセット可能とされ、前記第２の多層光記録媒体がセットされたとき、前記面管理情報再生部は、前記第１の光ピックアップおよび前記第２の光ピックアップのうち一方の光ピックアップにて受光されたガイド光をもとに前記管理情報を再生し、
前記制御部は、再生された前記管理情報に含まれる前記片面ディスク識別情報をもとに、前記第１の光ピックアップおよび前記第２の光ピックアップのうち他方の光ピックアップの動作を停止状態にする
光記録装置。
【請求項４】
情報を記録可能な複数の記録層と、トラッキングのためのガイドトラックが設けられ、当該ガイドトラックに沿って管理情報が予め記録されたリードイン領域を有するガイド層とを有する２つのガイド層付き光記録媒体が、それぞれ両面に記録が可能な両面ディスクを構成するように互いに貼り合わせて一体化され、前記管理情報が前記両面ディスクのサイド面を識別するためのサイド面識別情報を含む第１の多層光記録媒体、および前記ガイド層付き光記録媒体が片面に記録が可能な片面ディスクとして単体で使用され、前記管理情報が前記片面ディスクであることを識別するための片面ディスク識別情報を含む第２の多層光記録媒体が択一的にセットされる光記録装置であって、
前記セットされた前記第１の多層光記録媒体および前記第２の多層光記録媒体のいずれか一方の前記ガイド層付き光記録媒体の前記ガイド層にガイド光を集光し、その反射光を受光するガイド光学系を有する光ピックアップと、
前記ガイド光学系にて受光された前記ガイド光をもとに前記ガイド層付き多層記録媒の前記ガイド層に記録された前記管理情報を再生する管理情報再生部と、
前記再生された管理情報をもとに前記両面ディスクがセットされていることを判定した場合、前記再生された管理情報に含まれる前記サイド面識別情報をもとに前記光ピックアップと当該両面ディスクのサイド面との相関を設定し、前記管理情報の再生に失敗した場合、前記片面ディスクが表裏逆さまにセットされた状態としてエラーを判定する制御部と
を具備する光記録装置。
【発明の詳細な説明】
【技術分野】
【０００１】
本発明は、ガイド層と複数の記録層を有するガイド層付き光記録媒体、このガイド層付き光記録媒体に対しての記録を行う多層光記録媒体および光記録装置に関する。
【背景技術】
【０００２】
ＤＶＤ（Digital Versatile Disk）、ブルーレイディスク（登録商標）などの光ディスクの大容量化を目的として、記録層を多層化することが行われる。記録層の多層化に伴い、記録層へのデータの記録または再生時のトラックキング制御を、記録層とは別の層に設けられたガイドトラックを用いて行う方式も知られている。例えば、溝構造によるガイドトラックが設けられたガイドトラック層に３９０ｎｍ〜４２０ｎｍの波長（青色）の光を使用してトラッキング制御を行うとともに、複数の記録層の中の一つの記録層に６５０ｎｍ〜６８０ｎｍの波長（赤色）の光を使用して記録を行う光ドライブ装置などがある（例えば、特許文献１等）。
【０００３】
さらには、データ転送速度を向上させるため、光ディスクに設けられた複数の記録層に対して複数の光ピックアップにより同時にデータを記録したり読み出したりする方式も知られている。例えば、ディスクの表側の記録層と裏側の記録層に対し、２つの光ピックアップを使って同時にＣＬＶ（Constant Linear Velocity）方式で記録再生を行う装置などが知られている。（例えば、特許文献２等）。
【０００４】
また、両面に対して記録再生を行うことが可能な光ディスクにおいて、それぞれの記録面のリードイン領域にＡ／Ｂ面の識別情報をプリピットにより記録したものもある。Ａ／Ｂ面の識別情報により、ドライブ装置にＡ／Ｂ面の向きが誤って挿入された場合に、ドライブ装置側で記録媒体の誤挿入を認識することが可能とされている（例えば、特許文献３等）。
【先行技術文献】
【特許文献】
【０００５】
【特許文献１】特開２００７−２００４２７号公報
【特許文献２】特開平１−１３４７６６号公報
【特許文献３】特開平２０００−２５１３８７号公報
【発明の概要】
【発明が解決しようとする課題】
【０００６】
複数の記録層を両面側にそれぞれ有する両面ディスクに対して２つの光ピックアップを用いて両面側から同時に記録を行うことが可能な光記録装置を想定した場合、当該光ディスクそれぞれの面と２つの光ピックアップとの相関を光記録装置に設定するために、光ディスクの両面の記録層にそれぞれの面を識別するための面情報を記録しておく必要がある。この際、両面の複数の記録層のすべてに面情報をプリピットなどによって記録しておかなければならない。しかし、記録層に面情報をはじめとする管理情報をプリピットなどにより記録することは、記録層の積層数が増加するにつれて、管理情報の読み込み不能による不良品の発生確率の増大を招く。このことが記録媒体製品の価格をつり上げる要因の一つとして数えられていた。
【０００７】
また、両面ディスクと片面のみに記録層を有する片面ディスクに光記録装置を対応させるためには、トラッキングの引き込み失敗などのエラーの判定を含む片面ディスクの判定アルゴリズムなどを光記録装置に実装する必要がある。しかし、片面ディスクの判定アルゴリズムではトラッキングの引き込みのリトライなど、繰り返し処理を伴うため判定に時間がかかり、応答性の低下を招く要因となる。
【０００８】
以上のような事情に鑑み、本発明の目的は、管理情報の読み込み不能による製造歩留りの低下を抑制できるとともに、両面ディスクと片面ディスクの判別処理の迅速化を図ることのできる多層光記録媒体および光記録装置を提供することにある。
【課題を解決するための手段】
【０００９】
上記目的を達成するため、本発明の一形態に係る多層光記録媒体は、情報を記録可能な複数の記録層と、トラッキングのためのガイドトラックが設けられ、当該ガイドトラックに沿って管理情報が予め記録されたリードイン領域を有するガイド層とを有する２つのガイド層付き光記録媒体が、それぞれ両面に記録が可能な両面ディスクを構成するように互いに貼り合わせて一体化され、前記管理情報が前記両面ディスクのサイド面を識別するためのサイド面識別情報を含む。
【００１０】
本発明に係る多層光記録媒体は、ガイド層のリードイン領域に、両面ディスクのサイド面を識別するためのサイド面識別情報を含む管理情報を予め記録したことにより、記録層に面管理情報をプリピットなどにより記録しておく場合に比較して、面情報の読み込み不能による不良品の発生確率を低下させることができ、製造歩留りの向上を図ることができる。
【００１１】
本発明の別の形態に係る光記録装置は、情報を記録可能な複数の記録層と、トラッキングのためのガイドトラックが設けられ、当該ガイドトラックに沿って管理情報が予め記録されたリードイン領域を有するガイド層とを有する２つのガイド層付き光記録媒体が、それぞれ両面に記録が可能な両面ディスクを構成するように互いに貼り合わせて一体化され、前記管理情報が前記両面ディスクのサイド面を識別するためのサイド面識別情報を含む多層光記録媒体に記録可能な光記録装置であって、前記多層光記録媒体の一方の前記ガイド層付き光記録媒体に対応して設けられ、当該一方のガイド層付き光記録媒体の前記ガイド層に第１のガイド光を集光し、その反射光を受光する第１のガイド光学系を有する第１の光ピックアップと、前記多層光記録媒体の他方の前記ガイド層付き光記録媒体に対応して設けられ、当該他方のガイド層付き光記録媒体の前記ガイド層に第２のガイド光を集光し、その反射光を受光する第２のガイド光学系を有する第２の光ピックアップと、前記第１のガイド光学系にて受光された前記第１のガイド光をもとに前記一方のガイド層付き多層記録媒の前記ガイド層に記録された前記管理情報を第１の管理情報として再生するとともに、前記第２のガイド光学系にて受光された前記第２のガイド光をもとに前記他方のガイド層付き多層記録媒の前記ガイド層に記録された前記管理情報を第２の管理情報として再生する管理情報再生部と、再生された前記第１の管理情報および前記第２の管理情報にそれぞれ含まれる前記サイド面識別情報をもとに前記第１の光ピックアップおよび前記第２の光ピックアップと前記両面ディスクのサイド面との相関を設定する制御部とを具備する。
【００１２】
本発明に係る光記録装置によれば、両面ディスクの両側のガイド層付き光記録媒体それぞれのガイド層のリードイン領域から、両面ディスクのサイド面を識別するためのサイド面識別情報をそれぞれ含む第１の管理情報および第２の管理情報を読み込むことができる。また、制御部は、第１の管理情報および第２の管理情報にそれぞれ含まれるサイド面識別情報をもとに第１の光ピックアップおよび第２の光ピックアップと両面ディスクのサイド面との相関を設定することによって、光記録装置に両面ディスクがセットされる際の表裏の向きの制約がない。
【００１３】
本発明に係る光記録装置であって、前記多層光記録媒体を第１の多層光記録媒体、前記ガイド層付き光記録媒体が片面に記録が可能な片面ディスクとして単体で使用され、前記管理情報に前記片面ディスクであることを識別するための片面ディスク識別情報が含まれる多層光記録媒体を第２の多層光記録媒体として択一的にセット可能とされ、前記第２の多層光記録媒体がセットされたとき、前記面管理情報再生部は、前記第１の光ピックアップおよび前記第２の光ピックアップのうち一方の光ピックアップにて受光されたガイド光をもとに前記管理情報を再生し、前記制御部は、再生された前記管理情報に含まれる前記片面ディスク識別情報をもとに、前記第１の光ピックアップおよび前記第２の光ピックアップのうち他方の光ピックアップの動作を停止状態にするものであってよい。
【００１４】
これにより、トラッキングの引き込み失敗などのエラーの判定により片面ディスクであることを判定する方式に比較して、より迅速かつ確実に片面ディスクの判定を行うことができ、片面ディスクが装填されてから実際にその片面ディスクへのユーザデータの記録が開始されるまでの時間を短縮することができる。
【発明の効果】
【００１５】
以上のように、本発明によれば、管理情報の読み込み不能による製造歩留りの低下を抑制できるとともに、両面ディスクと片面ディスクの判別処理の迅速化を図ることができる。
【図面の簡単な説明】
【００１６】
【図１】本発明の一実施形態に係る光記録システムを示す図である。
【図２】図１の光記録システムにおけるストレージユニット、ディスクカートリッジ、およびドライブユニットの構成を示す図である。
【図３】ガイド層付き光記録媒体の構成を示す断面図である。
【図４】ガイド層付き光記録媒体におけるガイド層および記録層の半径方向の位置によって区分される領域の構成を示す図である。
【図５】図１の光記録システムにおけるディスクドライブの構成を示す図である。
【図６】図４のディスクドライブによる面管理情報に基づく制御の手順を示すフローチャートである。
【図７】ドライブユニットの各ディスクドライブにそれぞれの両面ディスクが表裏（Ａ／Ｂ面）の向きを揃えてセットされた状態を示す図である。
【図８】ドライブユニットに両面ディスクをセットする際の表裏の向きの制約の排除を説明する図である。
【発明を実施するための形態】
【００１７】
以下、図面を参照しながら、本発明の実施形態を説明する。
図１は、本発明の一実施形態に係る光記録システムを示す図である。
【００１８】
図１は光記録システムの全体の構成を示す図である。
この光記録システム１は、ストレージユニット１０と、ディスク搬送機構２０と、ドライブユニット３０と、ＲＡＩＤコントローラ４０と、ホスト装置５０とを備える。以下、それぞれの詳細について説明する。
【００１９】
［ストレージユニット１０］
ストレージユニット１０は、複数の多層光記録媒体である光ディスク１１が個別に着脱自在に収容されるユニットである。
【００２０】
ストレージユニット１０内での複数の光ディスク１１の収容形態としては平積み、縦並びなどが想定される。いずれの場合も、ストレージユニット１０に対して光ディスク１１の出し入れが円滑に行われるように、隣り合う光ディスク１１間には一定の隙間が設けられることが好ましい。ストレージユニット１０の形状は、ユーザによるハンドリング性、光ディスク１１の収納効率などの点から、例えば直方体形状、円筒形状などが想定される。図１の例では、複数の光ディスク１１を平積みで収容した直方体形状のストレージユニット１０が用いられる。
【００２１】
図２は、ストレージユニット１０、光ディスク１１およびドライブユニット３０の構成を示す図である。
ストレージユニット１０の少なくとも一つの側面には光ディスク１１の出し入れのための開口部１０１と、この開口部１０１を開閉する扉（図示せず）とが設けられている。扉はディスク搬送機構２０によるストレージユニット１０からの光ディスク１１の出し入れの動作と連動して開閉され、その他のときは閉状態とされる。
【００２２】
なお、本発明において、ストレージユニット１０の構成は図２のものに限定されない。ストレージユニット１０の形状、開口部の数や位置、扉の有無、複数の光ディスク１１の収容形態など、様々な変形が可能である。
【００２３】
［光ディスク１１］
ストレージユニット１０に収容される光ディスク１１は、ガイド層と記録層とが別々の層に分離して形成された、いわゆる「ガイド層付き光ディスク」である。特にこの実施形態では、２枚のガイド層付き光ディスクを貼り合わせた両面記録型の光ディスクと、ガイド層付き光ディスクを単体で使用した片面記録型の光ディスクが用いられる。以降、両面記録型の光ディスクを「両面ディスク」、片面記録型の光ディスクを「片面ディスク」とそれぞれ略称する。
【００２４】
図３はガイド層付き光ディスク１１１の構成を示す断面図である。
ガイド層付き光ディスク１１１は、ガイド層１１２と複数の記録層１１３とを有する。同図のガイド層付き光ディスク１１１の例では記録層１１３の層数は"４"である。ガイド層１１２とこれに最も近い記録層１１３との間、隣り合う記録層１１３の間との間には光透過性を有する中間層１１４がそれぞれ介層されている。これらの層は、光ピックアップ３２からの記録再生光Ｒ１およびガイド光Ｒ２が入射される側から、保護層１１５、記録層１１３、中間層１１４、記録層１１３、中間層１１４、記録層１１３、中間層１１４、記録層１１３、中間層１１４、ガイド層１１２の順に積層配置される。
【００２５】
ガイド層１１２において記録層１１３に対向する側の面には、トラッキング制御のためのランド・グルーブ構造によるガイドトラック１２１がスパイラル状あるいは同心円状に設けられている。ガイドトラック１２１の側壁面にはウォブルによる変調によって、ディスク全周のわたるトラック位置情報を示す物理アドレス情報が形成されている。ガイドトラック１２１は、例えばＤＶＤ（Digital Versatile Disk）の記録再生に用いられる赤色レーザ光に対応するトラックピッチ（０．６４μｍ）で形成される。ランドとグルーブ間のピッチの平均は０．３２μｍである。以後、赤色レーザ光のレーザ光を「ガイド光」と呼ぶ。
【００２６】
本実施形態の光記録システム１では、ガイドトラック１２１のランドとグルーブのそれぞれにおいて、例えば、差動プッシュプル法（ＤＰＰ：Differential Push-Pull）などによるトラッキング制御が行われる。ガイドトラック１２１のランドとグルーブのそれぞれにおいてトラッキング制御が行われることで、記録層１１３に対する情報の記録は０．３２μｍのトラックピッチで行うことが可能である。
【００２７】
記録層１１３は、例えばブルーレイディスク（登録商標）の記録再生に用いられる青色レーザ光に対応するトラックピッチ（０．３２μｍ）で情報の記録が行われる層である。以後、この青色レーザ光を「記録再生光」または「記録光」と呼ぶ。記録層１１３は、例えば光吸収層と反射層等とにより構成される。光吸収層としてはシアニン系色素やアゾ系色素等の有機色素や、Ｓｉ、Ｃｕ、Ｓｂ、Ｔｅ、Ｇｅ等の無機材料が用いられる。記録光がガイド層付き光ディスク１１１における目的の記録層１１３に照射されると、その記録光が照射された領域の反射率が変化し、反射率が変化した領域がピットとして形成されることで、記録層１１３に情報が記録される。
【００２８】
なお、記録層１１３への情報の記録時および再生時のトラッキング制御および物理アドレスならびに基準クロックの取得は、ガイド層１１２のガイドトラック１２１を用いて行われるため、記録層１１３にはランド・グルーブ構造によるガイドトラック１２１は不要である。したがって、記録層１１３の表面は平坦でよい。
【００２９】
両面ディスクとしての光ディスク１１は、２枚のガイド層付き光ディスク１１１がガイド層１１２のランド・グルーブ構造面の逆側の面どうしを対向させるようにして貼り合わせて一体化することにより構成される。
【００３０】
図４はガイド層付き光ディスク１１１におけるガイド層１１２および記録層１１３の半径方向の位置によって区分される領域の構成を示す図である。
ガイド層１１２および記録層１１３は、半径方向における位置によって内周側よりリードイン領域、データ領域、リードアウト領域に各層共通に区分される。
【００３１】
ガイド層１１２のリードイン領域には、ガイド層付き光ディスク１１１に固有の管理情報がウォブル変調などによって予め記録されている。
ガイド層付き光ディスク１１１に固有の管理情報は、当該ガイド層付き光ディスク１１１が片面ディスクを単体で構成するものであるか、両面ディスクを構成するものであるかを識別するとともに、両面ディスクを構成するものである場合には当該ガイド層付き光ディスク１１１が両面ディスクの表／裏（Ａ面／Ｂ面）のどちらのサイド面であるかを識別するための面管理情報を含む。
両面ディスクの管理情報に含まれる面管理情報はサイド面を識別するためのものであるという意味から「サイド面識別情報」とも呼ばれる。
また、片面ディスクの管理情報に含まれる面管理情報は、片面ディスクであることを識別するためのものであるという意味から「片面ディスク識別情報」とも呼ばれる。
【００３２】
ガイド層付き光ディスク１１１に固有の管理情報は、上記の面管理情報のほか、ガイド層付き光ディスク１１１の記録層の数、記録方式、記録線速度、記録再生時のレーザパワーおよびレーザ駆動パルス波形などの推奨情報、データ領域の位置情報などを含むものであってよい。
【００３３】
ガイド層１１２のデータ領域には、当該データ領域に対して割り当てられる物理アドレスなどが、ガイドトラック１２１のグルーブのウォブル変調などによって予め記録されている。
なお、ガイド層１１２のリードアウト領域にも、リードイン領域に記録された情報と同一の情報がウォブル変調などによって予め記録されていてもよい。
【００３４】
記録層１１３のリードイン領域は、記録層１１３への記録再生に用いられる管理情報がピット列によって記録される領域である。記録層１１３への記録再生に用いられる管理情報は、当該記録層１１３に割り当てられた層番号などの層情報、欠陥領域の交替処理に関する交替管理情報、記録再生時の最適なレーザパワーなどの記録再生条件などを含む。記録再生条件は、リードイン領域内の一部の領域（ＯＰＣ領域）に対してディスクドライブ３１がテスト記録を行い、その結果を評価することによって決定される。
【００３５】
［ディスク搬送機構２０］
ディスク搬送機構２０は、ストレージユニット１０から目的の光ディスク１１を取り出してドライブユニット３０内のディスクドライブ３１に装填したり、逆にディスクドライブ３１から排出された光ディスク１１をストレージユニット１０に戻したりするための機構である。
【００３６】
ディスク搬送機構２０は、例えば、ストレージユニット１０から同時に複数の光ディスク１１を取り出して、ドライブユニット３０内の複数のディスクドライブ３１に別々に装填することができるように、独立して動作可能な複数の搬送機構を備えたものであることが望ましい。
【００３７】
［ドライブユニット３０］
ドライブユニット３０には複数のディスクドライブ３１が搭載される。同図の例では、５機のディスクドライブ３１が搭載される。ストレージユニット１０に収容される光ディスク１１の数とドライブユニット３０内に搭載されるディスクドライブ３１の数は必ずしも同じとする必要はない。
【００３８】
（ディスクドライブ３１の構成）
図５は光記録装置であるディスクドライブ３１の構成を示す図である。
このディスクドライブ３１は、光ピックアップ３２を備える。光ピックアップ３２は、記録再生光に対応する記録再生光学系と、ガイド光に対応するガイド光学系とを備える。
【００３９】
記録再生光学系は、第１の光源３３、第１のコリメータレンズ３４、第１の偏光ビームスプリッタ３５、第１のリレーレンズ３６、第２のコリメータレンズ３７、合成プリズム３８、１／４波長板３９、対物レンズ６０、第１の受光レンズ６１および第１の受光部６２などで構成される。ここで、合成プリズム３８、１／４波長板３９、対物レンズ６０は、当該記録再生光学系と後述するガイド光学系の両方に属する。
【００４０】
第１の光源３３は第１の波長のレーザ光を記録再生光Ｒ１として出射するレーザダイオードを備える。第１の光源３３から出射された記録再生光Ｒ１は第１のコリメータレンズ３４によって平行光とされ、第１の偏光ビームスプリッタ３５、第１のリレーレンズ３６及び第２のコリメータレンズ３７を介して合成プリズム３８に入射する。合成プリズム３８は、第２のコリメータレンズ３７から入射される記録再生光Ｒ１と、後述するガイド光学系に属する第３のコリメータレンズから入射される第２の波長のガイド光Ｒ２とを互いの光軸が一致するように合成し、１／４波長板３９を介して対物レンズ６０に入射させる。対物レンズ６０にて、入射された記録再生光は、両面ディスクである光ディスク１１の一方のガイド層付き光ディスク１１１の目的の記録層１１３（図３）に合焦させるように集光される。
【００４１】
記録層１１３によって反射された記録再生光（戻り光）は、対物レンズ６０、１／４波長板３９を介して合成プリズム３８に入射し、合成プリズム３８を入射方向のまま透過して、第２のコリメータレンズ３７及び第１のリレーレンズ３６を介して第１の偏光ビームスプリッタ３５に戻る。第１の偏光ビームスプリッタ３５は、第１のリレーレンズ３６からの第１の波長の戻り光を約９０度の角度で反射して第１の受光レンズ６１を介して第１の受光部６２に入射させる。
【００４２】
第１の受光部６２は、例えば受光面が縦横に計４分割された受光素子を有し、分割された受光面毎の受光強度に応じたレベルの電圧信号を再生信号として出力する。
【００４３】
ガイド光学系（第１のガイド光学系、第２のガイド光学系）は、第２の光源６３、第３のコリメータレンズ６４、第２の偏光ビームスプリッタ６５、第２のリレーレンズ６６、第４のコリメータレンズ６７、合成プリズム３８、１／４波長板３９、対物レンズ６０、第２の受光レンズ６８および第２の受光部６９などで構成される。
【００４４】
第２の光源６３は、赤色レーザ光であるガイド光Ｒ２を出射する。第２の光源６３から出射されたガイド光Ｒ２は第３のコリメータレンズ６４によって平行光とされ、第２の偏光ビームスプリッタ６５、第２のリレーレンズ６６及び第４のコリメータレンズ６７を介して合成プリズム３８に入射する。合成プリズム３８に入射されたガイド光Ｒ２は、前述したように、合成プリズム３８にて記録再生光学系の第２のコリメータレンズ３７から入射される第１の波長の記録再生光Ｒ１と光軸が一致するように合成され、１／４波長板３９を介して対物レンズ６０に入射される。対物レンズ６０にて、入射されたガイド光Ｒ２は、両面ディスクである光ディスク１１の一方のガイド層付き光ディスク１１１のガイド層１１２（図３）に合焦させるように集光される。
【００４５】
ガイド層１１２によって反射されたガイド光Ｒ２（戻り光）は、対物レンズ６０、１／４波長板３９を介して合成プリズム３８に入射し、合成プリズム３８にて約９０度の角度で反射され、第４のコリメータレンズ６７及び第２のリレーレンズ６６を介して第２の偏光ビームスプリッタ６５に戻る。第２の偏光ビームスプリッタ６５は、第２のリレーレンズ６６からのガイド光Ｒ２の戻り光を、約９０度の角度で反射して第２の受光レンズ６８を介して第２の受光部６９に入射させる。
【００４６】
第２の受光部６９は、例えば受光面が縦横に計４分割された受光素子を有し、分割された受光面毎の受光強度に応じたレベルの電圧信号を再生信号として出力する。
【００４７】
また、光ピックアップ３２には、トラッキングアクチュエータ７０とフォーカシングアクチュエータ（図示せず）が設けられている。トラッキングアクチュエータ７０はトラッキング制御部７１による制御のもとで対物レンズ６０を光軸に対して垂直な方向であるディスク半径方向に移動させる。フォーカシングアクチュエータは、図示しないフォーカス制御部による制御のもと対物レンズ６０を光軸方向に移動させる。
【００４８】
さらに、図示は省略したが、光ピックアップ３２には、記録再生光が照射される記録層１１３を切り替えるように第１のリレーレンズ３６を光軸方向に移動させる第１のリレーレンズアクチュエータと、第２のリレーレンズ６６を光軸方向に移動させる第２のリレーレンズアクチュエータが設けられている。
以上が、光ピックアップ３２の説明である。
【００４９】
ディスクドライブ３１は、上記の光ピックアップ３２のほか、データ変調部７２、第１の光源駆動部７３、第２の光源駆動部７４、等化器７５、データ再生部７６、トラッキングエラー生成部７７、トラッキング制御部７１、管理情報再生部７８、ディスクモータ駆動部７９、フィード機構８０、コントローラ８１、さらには図示しないフォーカス制御部、リレーレンズ制御部などを有する。
【００５０】
データ変調部７２は、コントローラ８１より供給された記録用のデータを変調し、変調信号を第１の光源駆動部７３に供給する。
【００５１】
第１の光源駆動部７３は、データ変調部７２からの変調信号をもとに第１の光源３３を駆動するための駆動パルスを生成する。
【００５２】
等化器７５は、第１の受光部６２からの再生ＲＦ信号に対して、例えばＰＲＭＬ（Partial Response Maximum Likelihood）などの等化処理を行って二値信号を生成する。
【００５３】
データ再生部７６は、等化器７５より出力された二値信号からデータを復調し、復調されたデータから誤り訂正などの復号処理を行って再生データを生成し、コントローラ８１に供給する。
【００５４】
トラッキングエラー生成部７７は、第２の受光部６９の出力をもとに、例えば差動プッシュプル法などによってトラッキングエラー信号を生成し、トラッキング制御部７１に供給する。
【００５５】
トラッキング制御部７１は、トラッキングエラー生成部７７からのトラッキングエラー信号をもとにトラッキングアクチュエータ７０を制御して対物レンズ６０を光軸に対して垂直な方向に移動させてトラッキング制御を行う。
【００５６】
管理情報再生部７８は、第２の受光部６９の出力をもとに、例えばウォブルに変調された管理情報を再生してコントローラ８１に供給する。
【００５７】
ディスクモータ駆動部７９は、コントローラ８１による制御のもと光ディスク１１を回転駆動させるディスクモータ８２に駆動信号を供給する。
【００５８】
フィード機構８０は、光ピックアップ３２を光ディスク１１の半径方向に搬送する機構である。
【００５９】
図示しないフォーカス制御部は、図示しないフォーカシングアクチュエータを駆動させることにより、対物レンズ６０を光軸方向に移動させる。
【００６０】
コントローラ８１（制御部）は、ＣＰＵ（Central Processing Unit）、ＲＯＭ（Read Only Memory）、ＲＡＭ（Random Access Memory）などを備える。コントローラ８１は、ＲＡＭに割り当てられたメインメモリの領域にロードされたプログラムに基づいて、ディスクドライブ３１の全体の制御を行う。
【００６１】
ドライブユニット３０には、上記のディスクドライブ３１が複数搭載され、それぞれ独立して制御可能とされ、装填された光ディスク１１に対する情報の記録および再生をそれぞれ同時に行うことができる。
【００６２】
本実施形態の光記録システム１は、両面ディスクへの対応を想定しているため、それぞれのディスクドライブ３１には、当該光ディスク１１の一方の面（表面）と他方の面（裏面）のそれぞれに対応して光ピックアップ３２が一機ずつ第１の光ピックアップ（第１のガイド光光学系を含む。）および第２の光ピックアップ（第２のガイド光光学系を含む。）として配置され、それぞれの光ピックアップ３２に対応してデータ変調部７２、第１の光源駆動部７３、第２の光源駆動部７４、等化器７５、データ再生部７６、トラッキングエラー生成部７７、トラッキング制御部７１、管理情報再生部７８、フィード機構８０、フォーカス制御部、リレーレンズ制御部などが設けられている。そしてコントローラ８１は、上記２系統の制御を総括して行うものとされている。
【００６３】
［ＲＡＩＤコントローラ４０］
ＲＡＩＤ（Redundant Arrays of Inexpensive Disks）コントローラ４０は、ホスト装置５０からの記録命令などに対して、ドライブユニット３０内の１以上のディスクドライブ３１にデータを多重に記録したり、ストライピングにより分散して記録したりするＲＡＩＤ制御を行う。
【００６４】
ＲＡＩＤコントローラ４０より記録または再生の指示が与えられたそれぞれのディスクドライブ３１のコントローラ８１は、光ディスク１１の両側のガイド層付き光ディスク１１１に対してデータを記録したり再生したりするための制御を行う。
【００６５】
［ホスト装置５０］
ホスト装置５０は、本光記録システム１を制御する最上位の装置である。ホスト装置５０はパーソナルコンピュータでもよい。ホスト装置５０は、記録用のデータを作成または準備し、ＲＡＩＤコントローラ４０に対して当該記録用のデータの記録命令を供給する。また、ホスト装置５０は、ユーザなどより指定されたファイル名を含む読出命令をＲＡＩＤコントローラ４０に供給し、ＲＡＩＤコントローラ４０よりその応答として該当するファイル名のデータを取得する。
【００６６】
［光記録システム１の動作］
【００６７】
次に、上記の面管理情報を利用したディスクドライブの動作例を説明する。
図６はディスクドライブ３１による面管理情報に基づく制御の手順を示すフローチャートである。
【００６８】
ドライブユニット３０内のディスクドライブ３１に光ディスク１１が装填された後、コントローラ８１は、両側の光ピックアップ３２を光ディスク１１のリードイン領域を読み込み可能な位置に移動させて、両サイドのガイド層１１２のリードイン領域からの面管理情報の読み込みを試みる（ステップＳ１０１）。
【００６９】
ここで、装填された光ディスク１１が両面ディスクである場合には、両側の光ピックアップ３２によってそれぞれ対応するガイド層付き光ディスク１１１のガイド層１１２のリードイン領域から読み込まれた信号から、両面ディスクのサイド面（Ａ面／Ｂ面）を識別するための面管理情報（サイド面識別情報）を含む管理情報が管理情報再生部７８によって再生される（ステップＳ１０２のＹｅｓ、ステップＳ１０３の両面ディスク）。
【００７０】
コントローラ８１は、管理情報再生部７８によって再生された面管理情報をもとに、両面ディスクのサイド面として表（Ａ面）を示す面管理情報を読み込んだ一方の光ピックアップ３２を両面ディスクの表（Ａ面）側の処理に割り当てるとともに、両面ディスクのサイド面として裏（Ｂ面）を示す面管理情報を読み込んだ他方の光ピックアップ３２を両面ディスクの裏（Ｂ面）側の処理に割り当てる（ステップ１０４）。以上の両面ディスクのサイド面と２つの光ピックアップ３２との相関は光ディスク１１がディスクドライブ３１から排出されるまでコントローラ８１において保持される。
【００７１】
この後、コントローラ８１は、両側の光ピックアップ３２を用いて両面ディスクの両側のガイド層１１２および目的の記録層１１３のリードイン領域の読み込みを継続するように制御を行う（ステップＳ１０５）。
【００７２】
次に、ディスクドライブ３１に片面ディスクが装填された場合の動作を説明する。
この場合には、ステップＳ１０２で、２つの光ピックアップ３２のうちいずれか一方によってガイド層１２のリードイン領域から管理情報が読み込まれ、管理情報再生部７８にて再生される（ステップＳ１０２のＹｅｓ）。ここで、片面ディスクのガイド層１１２のリードイン領域から得られる面管理情報は片面ディスク識別情報である（ステップＳ１０３の片面ディスク）。
【００７３】
コントローラ８１は、管理情報再生部７８によって再生された管理情報に含まれる面管理情報が片面ディスク識別情報であることを判定すると、この面管理情報を含む管理情報を読み込んだ一方の光ピックアップ３２を片面ディスクの処理に割り当て、他方の光ピックアップ３２の動作を停止状態にする（ステップＳ１０６）。なお、光ピックアップ３２の動作を停止状態にするとは、例えば、光ピックアップ３２からのガイド光および記録再生光の出射を停止させ、所定の待機位置まで退避させることなどを言う。なお、片面ディスクは例えば両面ディスクのＡ面として扱われる。
【００７４】
この後、コントローラ８１は、片面ディスクに対応する一方の光ピックアップ３２を用いて片面ディスクのガイド層１１２および記録層１１３のリードイン領域の読み込みを継続するように制御を行う（ステップＳ１０７）。
【００７５】
［効果について］
１．本実施形態の光記録システム１では、ガイド層１１２に両面ディスクのサイド面を識別するための面管理情報を記録しておくことによって、記録層１１３に面管理情報をプリピットなどにより記録しておく場合に比較して、面管理情報の読み込みに失敗するような不良品の発生確率を低下させることができる。すなわち、記録層毎に面管理情報が記録された光ディスクでは、面管理情報の読み込みでエラーが発生する記録層が一つでも存在するような光ディスクは不良品として処分されねばならない。したがって、記録層の積層数が増加するにつれて不良品の発生確率が増大する傾向となるが、ガイド層１１２に面管理情報を記録しておけば、そのような傾向を排除することができる。
【００７６】
２．上記のように、コントローラ８１は、ディスクドライブ３１に片面ディスクが装填された場合には、２つの光ピックアップ３２の各処理系統のうちいずれか一方によってガイド層１２のリードイン領域から読み込まれた面管理情報をもとに片面ディスクが装填されたことを判定する。これにより、トラッキングの引き込み失敗などのエラーの判定により片面ディスクであることを判定する方式に比較して、より迅速かつ確実に片面ディスクの判定を行うことができ、片面ディスクが装填されてから実際にその片面ディスクへのユーザデータの記録が開始されるまでの時間を短縮することができる。
【００７７】
３．さらに本実施形態の光記録システム１では、光ディスク１１の記録層１１３に記録されたデータ（ファイル）をアーカイブする（ひとまとめのファイルとして作成する）際のインデックス情報として面管理情報（Ａ面／Ｂ面）を利用することができる。データ（ファイル）の検索条件として面管理情報（Ａ面／Ｂ面）の指定が可能となることで、検索効率の向上を期待できる。
【００７８】
４．図７はドライブユニット３０の各ディスクドライブ３１に両面ディスクである光ディスク１１が表裏（Ａ／Ｂ面）の向きを揃えてセットされた状態を示している。この状態は最も典型的であるものの本実施形態の光記録システム１では必須ではない。すなわち、ディスクドライブ３１のコントローラ８１は、両面ディスクが装填される都度、表（Ａ面）であることを示す面管理情報を読み込んだ光ピックアップ３２を表（Ａ面）に対応する処理系統として設定し、裏（Ｂ面）であることを示す面管理情報を読み込んだ光ピックアップ３２を含む処理系統を裏（Ｂ面）に対応する処理系統として設定するからである。したがって、本実施形態の光記録システム１では、例えば図８に示すように、ドライブユニット３０に両面ディスクである光ディスク１１をセットする際の表裏の向きの制約を排除できる。
【００７９】
［片面ディスク対応のディスクドライブについて］
次に、光ピックアップ３２が光ディスク１１の片方面のみに対応して設けられた片面ディスク対応のディスクドライブにおいて、本実施形態の光ディスク１１がセットされた場合の動作を説明する。
【００８０】
この場合、
１．両面ディスクがセットされたケース
２．片面ディスクが表裏正しくセットされたケース
３．片面ディスクが表裏逆さまにセットされたケース
の３つのケースが想定される。
【００８１】
両面ディスクがセットされたケースでは、光ピックアップ３２によって対応するガイド層付き光ディスク１１１のガイド層１１２のリードイン領域から読み込まれた信号から、両面ディスクのサイド面（Ａ面／Ｂ面）を識別するための面管理情報（サイド面識別情報）を含む管理情報が管理情報再生部７８によって再生される。したがって、この場合、コントローラ８１は、管理情報再生部７８によって再生された面管理情報をもとに、光ピックアップ３２と両面ディスクのサイド面との割り当てを行う。すなわち、再生された面管理情報が表（Ａ面）を示すサイド識別情報である場合には、コントローラ８１は光ピックアップ３２を両面ディスクの表（Ａ面）側の処理に割り当てる。逆に再生された面管理情報が裏（Ｂ面）を示すサイド識別情報である場合には、コントローラ８１は光ピックアップ３２を両面ディスクの裏（Ｂ面）側の処理に割り当てる。
【００８２】
片面ディスクが表裏正しくセットされたケースでは、光ピックアップ３２によって片面ディスクを単体で構成するガイド層付き光ディスク１１１のガイド層１１２のリードイン領域から読み込まれた信号から、片面ディスクであることを識別するための面管理情報（片面ディスク識別情報）を含む管理情報が管理情報再生部７８によって再生される。したがって、この場合、コントローラ８１は、管理情報再生部７８によって再生された面管理情報をもとに、光ピックアップ３２を片面ディスクの処理にそのまま割り当てる。
【００８３】
片面ディスクが表裏逆さまにセットされたケースでは、光ピックアップ３２によってディスクそのものの検出に失敗することで、コントローラ８１は、片面ディスクが表裏逆さまにセットされた状態としてエラーを判定する。コントローラ８１はこのエラーを判定した場合には、例えば、ホスト装置５０にその旨を通知し、ホスト装置５０はこの通知に従って、例えばユーザに光ディスク１１の裏表の向きのエラーを報知するなどの処理を行う。あるいは、ディスク搬送機構２０が光ディスク１１の裏表の向きを反転させることができる機能を備えたものである場合には、ディスク搬送機構２０に対して光ディスク１１の反転操作を指示する。
【００８４】
なお、本発明は、上述した実施の形態に限定されるものではなく、本発明の要旨を逸脱しない範囲において種々の変更が可能である。
【００８５】
例えば、上記の実施形態では、ガイド層のリードイン領域にウォブル変調によって面管理情報を記録しておくものとしたが、ガイド層のリードイン領域にプリピットにより面管理情報を記録しておくようにしてもよい。
【符号の説明】
【００８６】
１…光記録システム
１０…ストレージユニット
１１…多層光記録媒体
３０…ドライブユニット
３１…ディスクドライブ
３２…光ピックアップ
７８…管理情報再生部
８０…フィード機構
８１…コントローラ
１１１…ガイド層付き光ディスク
１１２…ガイド層
１１３…記録層
【図１】
2013211081.tif 000003
【図２】
2013211081.tif 000004
【図３】
2013211081.tif 000005
【図４】
2013211081.tif 000006
【図５】
2013211081.tif 000007
【図６】
2013211081.tif 000008
【図７】
2013211081.tif 000009
【図８】
2013211081.tif 000010